(57)【要約】【課題】現場における作業を効率よく行うことができる表示盤、または、初期活動として行われる記入作業を効率よく行うことができる表示盤を提供する。【解決手段】表示盤２は、情報を示すための示し手段と、示し手段に対して照明光を供給する照明手段と、を備える。示し手段は、ＬＥＤボード１０の載置面１１ＵＳと、載置面１１ＵＳとは異なるホワイトボード２０の記入面２１ＵＳと、を有する。照明手段は、載置面１１ＵＳに対し照明光を供給する光源１２を有する。【選択図】図２
2017083629.tif 000002
【特許請求の範囲】
【請求項１】
情報を示すための示し手段と、
前記示し手段に対して照明光を供給する照明手段と、を備え、
前記示し手段は、
第１示し手段と、
前記第１示し手段とは異なる第２示し手段と、を有し、
前記照明手段は、前記第１示し手段に第１照明光を供給する第１照明手段を有することを特徴とする表示盤。
【請求項２】
前記第１示し手段は前記第１照明手段と連結していることを特徴とする請求項１記載の表示盤。
【請求項３】
前記第１示し手段は、第１の情報が示され、
前記第２示し手段は、前記第１の情報とは異なる第２の情報が示され、
前記第１の情報には初期活動に必要な情報が含まれることを特徴とする請求項１または２記載の表示盤。
【請求項４】
前記第１の情報には、現場の所在地が含まれていることを特徴とする請求項３記載の表示盤。
【請求項５】
前記第１示し手段は、
前記情報を示すための表示部材の載置が可能な載置部材と、
前記情報を示すための表示部材の係合が可能な係合部材と、を有し、
前記係合部材と前記載置部材との間に、前記表示部材の挿入空間が形成されていることを特徴とする請求項１ないし４のうちいずれか１項記載の表示盤。
【請求項６】
前記載置部材は透光性を有し、
前記載置部材のうち前記表示部材が載置される面を載置面と、前記載置部材のうち前記載置面と反対側の面を反対面と、定義した際、前記第１照明手段は、前記反対面から前記載置面に向けて前記照明光を供給することを特徴とする請求項５記載の表示盤。
【請求項７】
前記第２示し手段は、塗料の塗布及び除去が可能な被塗布部材を有することを特徴とする請求項１ないし６のうちいずれか１項記載の表示盤。
【請求項８】
前記第１照明手段は、前記第１照明光を前記第２示し手段へ供給することを特徴とする請求項１ないし７のうちいずれか１項記載の表示盤。
【請求項９】
前記第１示し手段が情報を示す第１情報示し面と前記第２示し手段が情報を示す第２情報示し面との両方が露呈する露呈状態と、前記露呈状態から退避した退避状態との間で、前記第１示し手段と前記第２示し手段との状態を切り替える状態変更手段を備えることを特徴とする請求項１ないし８のうちいずれか１項記載の表示盤。
【請求項１０】
前記第１示し手段が情報を示す第１情報示し面と前記第２示し手段が情報を示す第２情報示し面とのうち一方が露呈する露呈状態と、前記第１情報示し面と前記第２情報示し面との両方が隠れた退避状態との間で、前記第１示し手段と前記第２示し手段との状態を切り替える状態変更手段を備えることを特徴とする請求項１ないし８のうちいずれか１項記載の表示盤。
【請求項１１】
情報を示すための示し手段と、
前記示し手段に対して照明光を供給する照明手段と、を備え、
前記示し手段は、
前記情報を示すための表示部材の載置が可能な載置部材と、
前記載置部材の中または前記載置部材よりも照明手段側に配された磁性部材と、を有し、
前記載置部材は透光性を有し、
前記載置部材のうち前記表示部材が載置される面を載置面と、前記載置部材のうち前記載置面と反対側の面を反対面と、定義した際、前記照明手段は、前記反対面から前記載置面に向けて前記照明光を供給することを特徴とする表示盤。
【請求項１２】
前記磁性部材は、前記載置面からみたときに、点状または線状に配されていることを特徴とする請求項１１記載の表示盤。
【発明の詳細な説明】
【技術分野】
【０００１】
本発明は、表示盤に関する。
【背景技術】
【０００２】
火災現場においては、消火や人命救助を見据えた戦略会議が行われる。この戦略会議を支援する表示盤（例えば、非特許文献１）が知られている。この表示盤は、いわゆるホワイトボードを有する。現場では、このホワイトボードに対して、所定の情報の書き込みや、所定の書類の貼り付け等を行うことにより、各種情報の集約作業、編集作業といった戦略会議の支援をする。
【先行技術文献】
【特許文献】
【０００３】
【非特許文献１】移動式表示盤ＨＳ−０８(平和機械株式会社)  インターネット＜URL:   http://www.heiwa-kikai.co.jp/rescue/index.html＞
【発明の概要】
【発明が解決しようとする課題】
【０００４】
しかしながら、火災現場はいつも明るいとは限られない。火災現場が暗い場合には照明が必要になるが、表示盤の展開作業とともに、外部照明の展開作業が必要になってしまう。火災現場における作業には、迅速性及び正確性が求められることから、表示盤の展開作業と外部照明の展開作業とを個別に行うことは効率が悪く、火災現場における作業としてふさわしくない。
【０００５】
また、実際の火災現場では、まず、初期活動として、現場の所在地等を所定の用紙に記入し、これらの記入内容は統括本部へ報告される。また、統括本部への報告時には、統括本部から当該報告内容に関連した補足情報を受け取る場合もある。その後、当該記載内容や統括本部からの補足情報に基づき、情報の集約作業や編集作業を通して、人命救助や火災の消火を見据えた戦略会議が行われる。
【０００６】
現場の所在地など初期活動における記載事項は、予め決められており、記載漏れをなくす観点から、当該記載事項が項目として挙げられいる用紙を用いることが多い。ところが、火災現場は屋外であることが多い。このため、当該用紙が風で飛ばされたり、バタついたりすることもある。かかる場合には、記入作業を効率よく行うことができない。
【０００７】
上記の課題は、火災現場に限られず、犯人の立てこもり現場や人命救助現場においても共通する。しかしながら、このような課題を解決できる方法は確立されていない。
【０００８】
本発明は、斯かる実情に鑑み、現場における作業を効率よく行うことができる表示盤、または、初期活動として行われる記入作業を効率よく行うことができる表示盤を提供しようとするものである。
【課題を解決するための手段】
【０００９】
本発明の表示盤は、情報を示すための示し手段と、前記示し手段に対して照明光を供給する照明手段と、を備え、前記示し手段は、第１示し手段と、前記第１示し手段とは異なる第２示し手段と、を有し、前記照明手段は、前記第１示し手段に第１照明光を供給する第１照明手段を有することを特徴とする。
【００１０】
前記第１示し手段は前記第１照明手段と連結していることが好ましい。また、前記第１示し手段は、第１の情報が示され、前記第２示し手段は、前記第１の情報とは異なる第２の情報が示され、前記第１の情報には初期活動に必要な情報が含まれることが好ましい。さらに、前記第１の情報には、現場の所在地が含まれていることが好ましい。
【００１１】
前記第１示し手段は、前記情報を示すための表示部材の載置が可能な載置部材と、前記情報を示すための表示部材の係合が可能な係合部材と、を有し、前記係合部材と前記載置部材との間に、前記表示部材の挿入空間が形成されていることが好ましい。また、前記載置部材は透光性を有し、前記載置部材のうち前記表示部材が載置される面を載置面と、前記載置部材のうち前記載置面と反対側の面を反対面と、定義した際、前記第１照明手段は、前記反対面から前記載置面に向けて前記照明光を供給することが好ましい。
【００１２】
前記第２示し手段は、塗料の塗布及び除去が可能な被塗布部材を有することが好ましい。また、前記第１照明手段は、前記第１照明光を前記第２示し手段へ供給することが好ましい。
【００１３】
前記第１示し手段が情報を示す第１情報示し面と前記第２示し手段が情報を示す第２情報示し面との両方が露呈する露呈状態と、前記露呈状態から退避した退避状態との間で、前記第１示し手段と前記第２示し手段との状態を切り替える状態変更手段を備えることが好ましい。
【００１４】
前記第１示し手段が情報を示す第１情報示し面と前記第２示し手段が情報を示す第２情報示し面とのうち一方が露呈する露呈状態と、前記第１情報示し面と前記第２情報示し面との両方が隠れた退避状態との間で、前記第１示し手段と前記第２示し手段との状態を切り替える状態変更手段を備えることが好ましい。
【００１５】
また、本発明の表示盤は、情報を示すための示し手段と、前記示し手段に対して照明光を供給する照明手段と、を備え、前記示し手段は、前記情報を示すための表示部材の載置が可能な載置部材と、前記載置部材の中または前記載置部材よりも照明手段側に配された磁性部材と、を有し、前記載置部材は透光性を有し、前記載置部材のうち前記表示部材が載置される面を載置面と、前記載置部材のうち前記載置面と反対側の面を反対面と、定義した際、前記照明手段は、前記反対面から前記載置面に向けて前記照明光を供給することが好ましい。
【００１６】
前記磁性部材は、前記載置面からみたときに、点状または線状に配されていることが好ましい。
【発明の効果】
【００１７】
本発明によれば、現場における作業を効率よく行うことができる、または、初期活動として行われる記入作業を効率よく行うことができる。
【図面の簡単な説明】
【００１８】
【図１】（Ａ）は、表示盤の平面図である。（Ｂ）は、ストレッチャーが起立状態の表示盤の側面図である。（Ｃ）は、ストレッチャーが収容状態の表示盤の側面図である。
【図２】（Ａ）は、ＬＥＤボードの平面図である。（Ｂ）は、ＬＥＤボードのＩＩｂ−ＩＩｂ線断面図である。
【図３】表示部材の概要を示す説明図である。
【図４】（Ａ）は、ＬＥＤボードの断面図である。（Ｂ）は、ＬＥＤボードの断面図である。
【図５】（Ａ）は、退避状態の表示盤の概要を示す斜視図である。（Ｂ）は、第１露呈状態の表示盤の概要を示す斜視図である。（Ｃ）は、第２露呈状態の表示盤の概要を示す斜視図である。
【図６】（Ａ）は、退避状態の表示盤の概要を示す斜視図である。（Ｂ）は、露呈状態の表示盤の概要を示す斜視図である。（Ｃ）は、露呈状態の表示盤の概要を示す斜視図である。
【図７】（Ａ）は、表示盤の概要を示す平面図である。（Ｂ）は、照明機構の概要を示すＶＩＩｂ−ＶＩＩｂ線断面図である。
【図８】（Ａ）は、表示盤の平面図である。（Ｂ）は、ストレッチャーが起立状態の表示盤の側面図である。（Ｃ）は、ストレッチャーが収容状態の表示盤の側面図である。
【図９】（Ａ）は、ＬＥＤボードの断面図である。（Ｂ）は、ＬＥＤボードの断面図である。
【図１０】ＬＥＤボードの載置面の一部を拡大した平面図である。
【図１１】（Ａ）は、ＬＥＤボードの断面図である。（Ｂ）は、ＬＥＤボードの載置面の一部を拡大した平面図である。
【図１２】（Ａ）は、ＬＥＤボードの断面図である。（Ｂ）は、ＬＥＤボードの載置面の一部を拡大した平面図である。
【発明を実施するための形態】
【００１９】
図１に示すように、表示盤２は、火災現場における消火や人命救助を見据えた戦略会議を支援するものであり、情報を示すためのＬＥＤボード１０と、情報を示すためのホワイトボード２０と、ストレッチャー３０と、各部品を連結する連結具４０と、バッテリーユニット６０と、を備える。
【００２０】
図２に示すように、ＬＥＤボード１０は、いわゆる、ＬＥＤ内蔵型の導光板であり、直方体状の筐体１１と、筐体１１に内蔵された光源１２と、筐体１１を囲む枠１３と、を有する。
【００２１】
筐体１１の天板１１Ｕの表側は、表示部材ＰＡを載置する載置面１１ＵＳとして機能するものである。天板１１Ｕの材料は、アクリル等といった透光性を有するプラスチックである。天板１１Ｕとしては、例えば、光拡散シートがある。筐体１１の底板１１Ｂは、光源１２の光を反射する反射部材として機能するものであり、反射シートが用いられる。さらに、筐体１１の内部には、縦方向または横方向に延びる補強材１５が設けられる。
【００２２】
光源１２は、天板１１Ｕと底板１１Ｂとの間に配されるものであり、例えば、ＬＥＤ等が用いられる。光源１２の光は、天板１１Ｕの裏側（反対面）から表側の載置面１１ＵＳに向かって透過するものと、底板１１Ｂにおける反射を介して透過するものがある。こうして、載置面１１ＵＳ全体が均一に光る。
【００２３】
表示部材ＰＡは、シート状であり、透光性を有するものが好ましい。表示部材ＰＡには、初期活動時に記入が必要な項目（現場の所在地、年月日、時間など、現場を特定するための情報）と、当該項目に対応する記入欄が対になって表示されている（図３参照）。表示部材ＰＡの材料は、紙、プラスチックなど特に限定されない。
【００２４】
図１に示すように、ホワイトボード２０は、長方形の板状に形成されたものである。ホワイトボード２０は、金属板に焼き付け塗装したもの、いわゆる琺瑯である。ホワイトボード２０としては、金属板の材料としては、鉄やアルミなどがある。また、磁石ＭＧを用いて、紙などをホワイトボード２０に掲示することが可能になることから、金属板の材料としては鉄であることが好ましい。
【００２５】
ホワイトボード２０は、所定の塗料の塗布が可能であるとともに、及び拭き取り作業によって塗布された塗料の除去が可能な記入面２１ＵＳを有する。表示部材ＰＡに表示された項目以外の情報（例えば、統括本部から受け取った情報、現場観察によって得た情報、これらの情報に基づいた消火や人命救助における作戦内容等）が記入される。
【００２６】
ストレッチャー３０は、収容状態（図１（Ｃ））と起立状態（図１（Ｂ））との間で切替自在である。消防車に搭載されている間は、収容状態となっている。消防車から降ろす際、レバーＬの操作等、所定の操作により、収容状態から起立状態へと切り替わる。
【００２７】
連結具４０は、ストレッチャー３０に対し、ＬＥＤボード１０やホワイトボード２０を連結する。なお、連結具４０は、ストレッチャー３０に対し、ＬＥＤボード１０やホワイトボード２０を着脱自在に連結することが好ましい。
【００２８】
ストレッチャー３０に連結した際、ＬＥＤボード１０とストレッチャー３０のレイアウトは、特に限定されないが、車両からの出し入れ作業を考慮すると、ストレッチャー３０の把手３１側に重量物であるＬＥＤボード１０を配することが好ましい。そして、車両に収納されたときには、重量物であるＬＥＤボード１０が、車両の出入り口に近い方となるように、ＬＥＤボード１０を配することが好ましい。
【００２９】
バッテリーユニット６０は、電力を貯めるバッテリーと、外部電力を用いてバッテリーを充電させるためのプラグと、電力をＬＥＤボード１０へ供給する電源ハーネスと、バッテリーの残り電力量の表示を行う電力表示装置と、ＬＥＤボード１０への供電のＯＮ−ＯＦＦを行うスイッチ６１と、を備える。こうして、バッテリーユニット６０は、外部電源から電力を貯めるともに、電力をＬＥＤボード１０へ供給することができる。
【００３０】
次に、表示盤２の作用について説明する。
【００３１】
表示盤２は、通常、消防車に搭載されている。消防車に搭載されているときには、消防車に取り付けられたコンセントに対して、バッテリーユニット６０のプラグが差し込まれ、バッテリーが充電されている。
【００３２】
消防車が現場に到着すると、把手３１を握って表示盤２が降ろされる。ストレッチャー３０が収容状態（図１（Ｃ））から起立状態（図１（Ｂ））となるため、ストレッチャー３０が起立状態となった後は、そのまま牽引操作によって、表示盤２を現場の所定の場所まで搬送することができる。
【００３３】
その後、表示盤２を現場に到着後、スイッチ６１をＯＦＦからＯＮにして、バッテリーユニット６０はＬＥＤボード１０への給電を開始する。その後、所定の表示部材ＰＡを載置面１１ＵＳに配置すると、載置面１１ＵＳ全体が均一に光っている。このため、載置面１１ＵＳ上に表示部材ＰＡを載置すると、暗い現場においても、表示部材ＰＡに記載された文字を読み取ることができる。
【００３４】
ここで、現場の初期活動として、載置面１１ＵＳ上に表示部材ＰＡに記載された所定の記入欄（図３）に対し、現場の所在地、年月日、時間等を記入する。その後、統括本部への報告とともに統括本部から受け取った情報、現場観察によって得た情報がホワイトボード２０の記入面２１ＵＳに記入される。その後、各情報に基づいて、消火や人命救助を見据えた戦略会議が行われる。戦略会議では、戦略立案にむけた検討作業や、最終的な戦略内容やその詳細の指示内容について決定などが行われるが、その戦略立案における各作業において、適宜、必要な情報がホワイトボード２０の記入面２１ＵＳに記入される。
【００３５】
本発明では、ＬＥＤボード１０とホワイトボード２０とが一体となっているため、表示盤２を現場に搬送し、スイッチ６１を入れるだけで、初期活動を行うことができる。すなわち、従来のような「外部照明の展開作業」が不要となる。このため、現場における作業、特に初期活動を効率よく行うことができる。
【００３６】
なお、ＬＥＤボード１０は、表示部材ＰＡを抑える抑え機構７０を更に備えることが好ましい。抑え機構７０は、図４に示すように、突出部材７１を有する。突出部材７１は、枠１３から、載置面１１ＵＳの中央部に向かって伸びる。突出部材７１と載置面１１ＵＳとの間に、表示部材ＰＡの縁部が挿入可能な挿入空間ＳＫが形成される。突出部材７１は、枠１３のうち向かい合う１組の辺に設けられていてもよいし、四隅に設けられていてもよい。
【００３７】
さらに、抑え機構７０は、挿入空間ＳＫに配された抑え部材７２と、抑え部材７２を付勢する付勢部材７３とを備えていることが好ましい。付勢部材７３としては、コイルばね、板バネなどがある。付勢部材７３の一端は突出部材７１に取り付けられ、他端は抑え部材７２に取り付けられる。このため、付勢部材７３は、抑え部材７２を載置面１１ＵＳに向けて付勢する。このような、抑え機構７０により、ＬＥＤボード１０の載置面１１ＵＳにおいて、表示部材ＰＡの縁を確実に抑えることができる。とくに、現場において風が強い場合や、表示部材ＰＡがカールしてしまった場合であっても、載置面１１ＵＳにおいて、表示部材ＰＡの縁を確実に抑えることができるため、表示部材への記入作業をスムーズに行うことができる。さらにまた、抑え機構７０は、付勢部材７３による載置面１１ＵＳへの付勢が行われる状態と、当該付勢が解除される状態とを切り替える付勢切替機構を備えていてもよい。
【００３８】
上記実施形態では、ＬＥＤボード１０の載置面１１ＵＳとホワイトボード２０の記入面２１ＵＳとがともに露呈した露呈状態（図１）であったが、本発明はこれに限られない。表示盤２は、露呈状態と露呈状態から退避した退避状態との間で切替可能な状態変更機構を備えていてもよい。
【００３９】
図５に示すように、第２の表示盤２は、情報を示すためのＬＥＤボード１０と、情報を示すためのホワイトボード２０と、ストレッチャー３０と、各部品を連結する連結具４０と、バッテリーユニット６０と、に加え、状態変更機構であるヒンジ８１を備える。なお、図の煩雑を避けるため、ストレッチャー３０と、各部品を連結する連結具４０と、バッテリーユニット６０の図示は省略する。
【００４０】
ヒンジ８１は、ＬＥＤボード１０とホワイトボード２０とを連結するものであり、ＬＥＤボード１０の長辺部分とホワイトボード２０の長辺部分に設けられる。ヒンジ８１を中心にＬＥＤボード１０やホワイトボード２０を回動することで、露呈状態と退避状態との切り替えが可能になる。退避状態では、図５（Ａ）に示すように、載置面１１ＵＳと記入面２１ＵＳとが対向した状態で、ＬＥＤボード１０がホワイトボード２０の上に重なっている。この退避状態では、載置面１１ＵＳと記入面２１ＵＳの両方が隠れている。ここで、ヒンジ８１を中心にＬＥＤボード１０を回動させると、載置面１１ＵＳとホワイトボード２０の記入面２１ＵＳとがともに露呈した露呈状態（図５（Ｂ））へ切り替えられる。
【００４１】
なお、露呈状態としては、図５（Ｂ）に示すように、載置面１１ＵＳと記入面２１ＵＳとが面一になったもの（第１露呈状態）だけでなく、図５（Ｃ）に示すように、載置面１１ＵＳが記入面２１ＵＳに対して垂直又は斜めになったもの（第２露呈状態）でもよい。さらに、状態変更機構は、第２露呈状態の維持が可能となるように、ＬＥＤボード１０やホワイトボード２０を他の部材に対して係止する係止部材を設けていてもよい。
【００４２】
ヒンジ８１により、表示盤２は、第１露呈状態（図５（Ｂ））と、退避状態（図５（Ａ））との間で切替自在であってもよいし、第２露呈状態（図５（Ｃ））と、退避状態（図５（Ａ））との間で切替自在であってもよいし、第１露呈状態（図５（Ｂ））と、第２露呈状態（図５（Ｃ））、退避状態（図５（Ａ））と、３つの状態の間で切替自在であってもよい。
【００４３】
なお、第２露呈状態（図５（Ｃ））においては、ＬＥＤボード１０からの透過光を、ホワイトボード２０の外部照明としてもよい。すなわち、ＬＥＤボード１０に内蔵された光源１２の光は、ＬＥＤボード１０の照明光のみならず、ホワイトボード２０用の照明光を兼ねる。
【００４４】
上記実施形態では、ヒンジ８１を、ＬＥＤボード１０の長辺部分とホワイトボード２０の長辺部分に設けたが、本発明はこれに限られない。ヒンジ８１を、ＬＥＤボード１０の短辺部分とホワイトボード２０の短辺部分に設けてもよい。
【００４５】
上記実施形態では、状態変更機構がヒンジ８１であったが、本発明はこれに限られない。状態変更機構としてスライド機構８２を用いてもよい。
【００４６】
スライド機構８２は、ＬＥＤボード１０やホワイトボード２０のスライド移動を可能にする。スライド機構８２によって、ＬＥＤボード１０やホワイトボード２０を移動することで、露呈状態と退避状態との切り替えが可能になる。退避状態では、図６（Ａ）に示すように、載置面１１ＵＳが露呈し記入面２１ＵＳが隠れている状態で、ＬＥＤボード１０がホワイトボード２０の上に重なっている。ここで、スライド機構８２によって、ＬＥＤボード１０を水平方向へスライドさせると、載置面１１ＵＳと記入面２１ＵＳとがともに露呈した露呈状態（図６（Ｂ））へ切り替えられる。
【００４７】
なお、ＬＥＤボード１０を水平方向へスライドさせることに替えて、ホワイトボード２０を水平方向へスライドさせて、載置面１１ＵＳと記入面２１ＵＳとがともに露呈した露呈状態（図６（Ｃ））へ切り替えてもよい。また、図示は省略するが、退避状態（図６（Ａ））から、第１露呈状態（図５（Ｂ））や第２露呈状態（図５（Ｃ））へ切替可能なリンク機構を状態変更機構として用いてもよい。
【００４８】
上記実施形態では、スライド機構によるスライド方向が、短辺方向であったが、本発明はこれに限られず、長辺方向であってもよい。
【００４９】
ＬＥＤボード１０とホワイトボード２０とのうち、状態変更機構によって移動させるものはいずれでもよいが、移動の作業性の観点から、重量の軽いものを移動させる方が好ましい。
【００５０】
また、別途のセンサーに連動して、ＬＥＤボード１０への給電のＯＮ−ＯＦＦを行ってもよい。例えば、状態変更機構によって、露呈状態であるときに、ＬＥＤボード１０への給電がＯＮとなり、退避状態であるときにＬＥＤボード１０への給電がＯＦＦとなるようにしてもよい。表示盤２を車両から降ろす際に、ＬＥＤボード１０への給電をＯＮとしてもよい。これにより、現場における作業効率の向上と省エネを両立することができる。
【００５１】
上記実施形態では、ＬＥＤボード１０への給電のＯＮ−ＯＦＦを行うスイッチ６１を手動で操作したが、本発明はこれに限られない。例えば、明暗センサーを設け、スイッチ６１の操作や表示盤２の状態（露呈状態や退避状態等）に関わらず、一定の明るさ未満の場合にのみ、ＬＥＤボード１０への給電を行うとしてもよい。
【００５２】
図７に示すように、第３の表示盤２は、情報を示すためのＬＥＤボード１０と、情報を示すためのホワイトボード２０と、ストレッチャー３０と、各部品を連結する連結具４０と、バッテリーユニット６０と、に加え、照明機構８６を備える。なお、図の煩雑を避けるため、ストレッチャー３０と、各部品を連結する連結具４０と、バッテリーユニット６０の図示は省略する。
【００５３】
照明機構８６は、ホワイトボード２０とＬＥＤボード１０との間に配され、連結具４０により、ストレッチャー３０に連結される。
【００５４】
照明機構８６は、光源８６Ｌと、アーム８６Ａと、アーム８６Ａの起立状態（図７（Ｂ）の破線部）と、倒伏状態（図７（Ｂ）の実線部）との間で切替自在にする回動軸８６Ｘとを備える。アーム８６Ａの起立状態では、光源８６Ｌの光は、ＬＥＤボード１０やホワイトボード２０の照明光として機能する。ここで、光源８６ＬのＯＮ−ＯＦＦ切替は、別途のスイッチ操作によってもよいし、アーム８６Ａの起立状態のときにＯＮ、アーム８６Ａの倒伏状態のときにＯＦＦとなるように、アーム８６Ａの状態に連動させてもよい。また、明暗センサーを設け、スイッチやアーム８６Ａの状態に関わらず、一定の明るさ未満の場合にのみ、光源８６ＬをＯＮにするとしてもよい。
【００５５】
図８に示すように、第４の表示盤２は、情報を示すためのＬＥＤボード１０と、ストレッチャー３０と、各部品を連結する連結具４０と、バッテリーユニット６０とを備える。
【００５６】
ＬＥＤボード１０は、いわゆる、ＬＥＤ内蔵型の導光板であり、直方体状の筐体１１と、筐体１１に内蔵された光源１２と、筐体１１を囲む枠１３と、を有する。さらに、ＬＥＤボード１０は、磁性部材１８を有する。磁性部材１８は、磁性体材料から形成されることが好ましい。
【００５７】
図９に示すように、磁性部材１８は、筐体１１の天板１１Ｕの内部に設けられる（図９（Ａ））、または、天板１１Ｕの内側に配される（図９（Ｂ））ことが好ましい。磁性部材１８は、平行に並ぶ複数の線状部材である。また、載置面１１ＵＳからみた場合、それぞれの線状部材の間隔は等しいことが好ましい。
【００５８】
載置面１１ＵＳに磁石ＭＧを配すると、磁性部材１８が存在する部位において、引力が働く結果、載置面１１ＵＳに対して表示部材ＰＡを抑えることができる。ここで、載置面１１ＵＳからみた場合、磁性部材１８が存在する部位は、光源１２の照明光によって影ができてしまう。しかしながら、本発明では、磁性部材１８が線状で平行に配されるため、磁性部材１８の影を罫線として活用できる（図１０）。
【００５９】
上記実施形態では、磁性部材１８が平行に並ぶ複数の線状部材としたが、本発明はこれに限られない。載置面１１ＵＳからみた場合に、縦方向に平行に並ぶ複数の線状部材と、縦方向に垂直な横方向に平行に並ぶ複数の線状部材とが磁性部材１８に含まれていてもよい（図１１）。これにより、磁性部材１８の影をマス目として活用できる。同様に、磁性部材１８を縦方向及び横方向において所定の間隔で点在させてもよい（図１２）。これにより、磁性部材１８の影をドット（目盛り）として活用できる。
【００６０】
上述した罫線、マス目、ドットは、簡易的な見取り図を書く場合等に有効である。
【００６１】
さらに、ＬＥＤボード１０は、ホワイトボードシート１９を有していてもよい。ホワイトボードシート１９は、透光性を有する。さらに、ホワイトボードシート１９は、所定の塗料の塗布が可能であるとともに、及び拭き取り作業によって塗布された塗料の除去が可能である。ホワイトボードシート１９は、無色透明であることが好ましい。
【００６２】
ホワイトボードシート１９は、載置面１１ＵＳの上に配される。ホワイトボードシート１９は、載置面１１ＵＳに接着されることが好ましい。ホワイトボードシート１９としては、例えば、透明の書き消しシート（型番TOW-1、販売  大洋株式会社）、ラミネートフィルム（商品番号  RTTRF-30045、販売  株式会社ＴＳＰ）、と〜るシート（製造  NOPAR International GmbH）などがある。
【００６３】
上記実施形態は、火災現場に対して説明したが本発明はこれに限られない。犯人の立てこもり現場や人命救助現場における戦略会議においても、同様の効果を発揮することができる。
【００６４】
尚、本発明は、上記した実施の形態に限定されるものではなく、本発明の要旨を逸脱しない範囲内において種々変更を加え得ることは勿論である。
【符号の説明】
【００６５】
２     表示盤
１０   ＬＥＤボード
１１   筐体
１１Ｂ 底板
１１Ｕ 天板
１１ＵＳ      載置面
１２   光源
１３   枠
１８   磁性部材
１９   ホワイトボードシート
２０   ホワイトボード
２１ＵＳ      記入面
３０   ストレッチャー
３１   把手
４０   連結具
７０   抑え機構
７２   抑え部材
７３   付勢部材
８１   ヒンジ
８２   スライド機構
８６   照明機構
【図１】
2017083629.tif 000003
【図２】
2017083629.tif 000004
【図３】
2017083629.tif 000005
【図４】
2017083629.tif 000006
【図５】
2017083629.tif 000007
【図６】
2017083629.tif 000008
【図７】
2017083629.tif 000009
【図８】
2017083629.tif 000010
【図９】
2017083629.tif 000011
【図１０】
2017083629.tif 000012
【図１１】
2017083629.tif 000013
【図１２】
2017083629.tif 000014